(57)【要約】【課題】ろ層を通過する流体の流速が下がり、ろ過抵抗が下がって、ろ過継続時間の延長を図ることができるので、設備の稼働率低下を防止し、過大な予備設備の設置を抑制することができ、さらに洗浄水量の増加を防止することができるろ層の洗浄方法の提供。【解決手段】  内的要因または外的要因によって内部に気泡が発生するろ層に処理対象水を通過させてろ過する水処理方法であって、通常洗浄と次の通常洗浄の間に、通常洗浄に対して相対的に簡易な洗浄を行うろ層の洗浄方法。【選択図】図１
2015188880.tif 000002
【特許請求の範囲】
【請求項１】
ろ層に外部から気体が供給される、あるいは、ろ層内部に気泡が発生するろ層の洗浄方法であって、所定のろ過時間経過後、または、ろ過池内水位がろ過可能限界水位に到達した場合に行う洗浄と、次に該洗浄を行う間に、該洗浄よりも相対的に簡易な洗浄を行うことを特徴とするろ層の洗浄方法。
【請求項２】
前記簡易な洗浄が水洗浄である、請求項１に記載の洗浄方法。
【請求項３】
前記ろ層で好気性ろ床法または生物ろ過による脱窒処理が行われる、請求項１または２に記載の洗浄方法。
【請求項４】
前記簡易な洗浄が、線速度が０．１〜１．５ｍ／分で、洗浄時間が５秒〜５分である水洗浄である、請求項１〜３のいずれかに記載の洗浄方法。
【請求項５】
前記簡易な洗浄を行って生じた洗浄排水を、ろ過装置から排出せずに再度ろ過する、請求項１〜４のいずれかに記載の洗浄方法。
【請求項６】
ろ層に外部から気体が供給される、あるいは、ろ層内部に気泡が発生するろ層に処理対象水を通過させてろ過するための水処理装置であって、
汚濁物質を除去するろ材と、
ろ材を支える支持層と、
水洗浄を行う水洗浄手段と、
所定のろ過時間経過後、または、ろ過池内水位がろ過可能限界水位に到達した場合に行う洗浄と、次に該洗浄を行う間に、該洗浄よりも相対的に簡易な洗浄を行うように制御する制御部と、を備えることを特徴とする水処理装置。
【請求項７】
空気洗浄を行う空気洗浄手段を有する請求項６に記載の水処理装置。
【請求項８】
ろ過池を複数備え、前記制御部が、複数のろ過池の内のいずれの池も所定のろ過時間経過後、または、ろ過池内水位がろ過可能限界水位に到達した場合に行う洗浄を行っていない場合、または、複数のろ過池の内の一池が該洗浄工程中でも、前記洗浄手段を使用していないときに、その他の一池が前記簡易な洗浄を行うように制御する、請求項６または７に記載の水処理装置。
【発明の詳細な説明】
【技術分野】
【０００１】
本発明はろ層の洗浄方法および水処理装置に関する。
【背景技術】
【０００２】
下水を含む廃水の処理には、廃水中の懸濁物質の固液分離と共に、溶解性の有機物やアンモニア性窒素・亜硝酸性窒素の酸化、または亜硝酸性窒素・硝酸性窒素の還元（脱窒）を同時に行う方法が適用されている。前者は一般的に好気性ろ床法と呼ばれて、従来、例えば特許文献１に記載のものが提案されている。後者には一般的な名称は存在しないため、以下では「脱窒ろ過法」と称することとする。両者とも生物ろ過の一種である。
【０００３】
好気性ろ床法（溶解性有機物の除去や、アンモニア性窒素・亜硝酸性窒素の酸化を目的とした場合）は、ろ過中にろ層下部から溶存酸素供給のために散気が行われる。また、脱窒ろ過法（亜硝酸性窒素・硝酸性窒素の還元（脱窒）を行う場合）は、ろ層内に繁殖した微生物により、原水中の亜硝酸性窒素・硝酸性窒素が脱窒されて窒素ガスが生成する。すなわち、上記の何れの方法でも、外的要因（すなわち、外部から気体が供給されて）あるいは内的要因（自発的な脱窒）により、ろ層内にガスを内包する（ガスが捕捉される）可能性を有している。
【０００４】
生物ろ過法を行うための生物ろ過装置は、名称の通り、生物処理と同時にろ過を行う装置であるため、ろ層に原水中の懸濁成分を捕捉する。一種類のろ材で構成される単層ろ過の場合は、ろ層表面に粒径の小さいろ材が集まり、下層に行くほど粒径は大きくなる。全ての粒径が同じろ材を用意することは現実的には不可能なため、ろ層に充填されるろ材の粒径には必ずばらつきがあり、逆洗等をすることで、ろ層が成層化して前述のようなろ層を構成する。
【先行技術文献】
【特許文献】
【０００５】
【特許文献１】特開平６−３３５６９２号公報
【発明の概要】
【発明が解決しようとする課題】
【０００６】
原水中に含まれる懸濁成分は、ろ材粒径の細かいろ層表面で最も捕捉され易いため、ろ層は捕捉した懸濁物質で表面付近が蓋をされるような状況となる。この捕捉された懸濁物質により形成される蓋によって、外的要因または内的要因で発生したガスが、ろ層内部に抑留される現象が起きる。すなわち、蓋に邪魔されて、液相側に逃げることができない。特に、有機源を人為的に添加して反応を促進することがある脱窒ろ過法の場合は、添加した有機源によって微生物が顕著に増殖し、原水中の懸濁物質と相まって、ろ層表層の目詰まり（蓋効果）を促進する傾向がある。
【０００７】
ところで、生物ろ過装置の重要な処理性能として、前述の溶解性物質の除去能と懸濁物質の除去能に加え、洗浄無しで、ろ過を継続することが可能な時間の長さ（ろ過継続時間）が挙げられる。ろ過継続時間が短いと、次のようなデメリットがある。まず、頻繁に洗浄を行うことになるため、洗浄に使用する処理水の量が増えて、装置から得られる正味の処理水量が減少することが挙げられる。また、設備の稼働率（正味のろ過時間）が低下するので、規定の排水量を常時処理するために、予備のろ過装置が必要となることも挙げられる。これらのデメリットを回避するために、生物ろ過装置において、ろ過継続時間を長くすること、すなわち、洗浄回数を減らすことは重要な課題となっている。
【０００８】
しかし、前述した好気性ろ床法や脱窒ろ過法では外的要因または内的要因によって、ろ層内部に、それらのガスが発生し、さらに原水中の懸濁物質に起因して発生するろ層表層の蓋によって、そのガスがろ層内部から抜けないという現象が頻繁に観察されるようになった。
このろ層内に捕捉されたガスは、ガスが存在する空間を水が通過することを妨げる。水が通過できるのはガスが存在しない空間だけとなるため、ガスが無い場合に比べて、ろ層の通過流速が上昇する。その結果、ろ層通過時の圧力損失が高まって、ろ抗の上昇が速められる。
【０００９】
通常、ろ抗はろ層に汚濁物質が捕捉されるにつれて上昇するものだが、ろ層内にガスが存在すると、前述の通り、ろ材に濁質抑留能力が十分に残存しているにも関わらず、ろ抗が上昇してしまう現象が起きる。そのため、ろ材は、まだ汚濁物質を抑留できるにも関わらず、池内水位が、ろ過可能限界水位に到達して洗浄せざるを得なくなってしまう。これは、いたずらに洗浄頻度を増加させることとなり、前述のデメリットを引き起こす。
これらのことから、生物ろ過装置において、ろ過継続時間の増加は重要な課題でありながら、それを達成するためには、ろ層内部に抑留されているガスを除去することが必要であり、それには、ろ層表層に蓋をする様に捕捉されている懸濁物質および増殖した微生物を適宜排除する必要があることが分かった。
【００１０】
本発明は、研究の結果明らかにしたろ抗上昇のメカニズムをもとに、抽出した上記課題を解決するものである。
すなわち、本発明の目的は、ろ層を通過する流体の流速が下がり、ろ過抵抗が下がって、ろ過継続時間の延長を図ることができるので、設備の稼働率低下を防止し、過大な予備設備の設置を抑制することができ、さらに洗浄水量の増加を防止することができるろ層の洗浄方法および水処理装置を提供することである。
【課題を解決するための手段】
【００１１】
本発明者は上記のような課題を解決するために鋭意検討し、本発明を完成させた。
本発明は、ろ層に外部から気体が供給される、あるいは、ろ層内部に気泡が発生するろ層の洗浄方法であって、所定のろ過時間経過後、または、ろ過池内水位がろ過可能限界水位に到達した場合に行う洗浄と、次に該洗浄を行う間に、該洗浄よりも相対的に簡易な洗浄を行うことを特徴とするろ層の洗浄方法である。
このようなろ層の洗浄方法を、以下では「本発明の方法」ともいう。
【００１２】
本発明の方法は、前記簡易な洗浄が水洗浄であることが好ましい。
【００１３】
本発明の方法は、前記ろ層で好気性ろ床法または生物ろ過による脱窒処理が行われることが好ましい。
【００１４】
本発明の方法は、前記簡易な洗浄が、線速度が０．１〜１．５ｍ／分で、洗浄時間が５秒〜５分である水洗浄であることが好ましい。
【００１５】
本発明の方法は、前記簡易な洗浄を行って生じた洗浄排水を、ろ過装置から排出せずに再度ろ過することが好ましい。
【００１６】
また、本発明は、ろ層に外部から気体が供給される、あるいは、ろ層内部に気泡が発生するろ層に処理対象水を通過させてろ過するための水処理装置であって、汚濁物質を除去するろ材と、ろ材を支える支持層と、水洗浄を行う水洗浄手段と、所定のろ過時間経過後、または、ろ過池内水位がろ過可能限界水位に到達した場合に行う洗浄と、次に該洗浄を行う間に、該洗浄よりも相対的に簡易な洗浄を行うように制御する制御部と、を備えることを特徴とする水処理装置である。
このような水処理装置を、以下では「本発明の装置」ともいう。
【００１７】
本発明の方法は、本発明の装置によって実施することが好ましい。
以下において単に「本発明」と記した場合、本発明の方法および本発明の装置のいずれをも意味するものとする。
【００１８】
本発明の装置は、空気洗浄を行う空気洗浄手段を有することが好ましい。
【００１９】
本発明の装置は、ろ過池を複数備え、前記制御部が、複数のろ過池の内のいずれの池も所定のろ過時間経過後、または、ろ過池内水位がろ過可能限界水位に到達した場合に行う洗浄を行っていない場合、または、複数のろ過池の内の一池が該洗浄工程中でも、前記洗浄手段を使用していないときに、その他の一池が前記簡易な洗浄を行うように制御することが好ましい。
【発明の効果】
【００２０】
本発明によれば、ろ層を通過する流体の流速が下がり、ろ過抵抗が下がって、ろ過継続時間の延長を図ることができるので、設備の稼働率低下を防止し、過大な予備設備の設置を抑制することができ、さらに洗浄水量の増加を防止することができるろ層の洗浄方法および水処理装置を提供することができる。
【図面の簡単な説明】
【００２１】
【図１】本発明の装置の好適態様を説明するための概念図である。
【図２】本発明の装置の好適態様における制御フローを説明するための図である。
【図３】本発明の装置の好適態様を説明するための別の概念図である。
【図４】本発明の装置の好適態様を説明するためのさらに別の概念図である。
【図５】本発明の装置の好適態様における制御フローを説明するための図である。
【図６】本発明の装置の好適態様を説明するためのさらに別の概念図である。
【発明を実施するための形態】
【００２２】
本発明の方法を実施することができる水処理装置について、図を用いて説明する。
図１は本発明の方法を実施することができる水処理装置１０の概略図である。水処理装置１０は、本発明の装置の好適態様であり、好気性ろ床法によって原水１４をろ過処理して処理水１５を排出する装置である。
【００２３】
図１に示す水処理装置は、外的要因によって（すなわち、外部から気体が供給されて）内部に気泡が発生するろ層１２に処理対象水（原水１４）を通過させてろ過するための水処理装置１０であって、汚濁物質を除去するろ材１６と、ろ材１６を支える支持層１８と、ろ層の洗浄を行う水洗浄手段２０および空気洗浄手段２２と、ろ層の洗浄と洗浄の間に該洗浄に対し相対的に簡易な洗浄（以下では「簡易洗浄」ともいう）を行うように制御する制御部２４とを備える。さらに、水処理装置１０は、溶解性有機物の除去や、アンモニア性窒素・亜硝酸性窒素の酸化を目的として、ろ過中にろ層１２の下部から溶存酸素を供給するための散気手段２６を備える。なお、所定のろ過時間経過後、または、ろ過池内水位がろ過可能限界水位に到達した場合に行われる洗浄を、以下では「通常洗浄」ともいう。通常洗浄としては、例えば従来公知の逆洗洗浄が挙げられる。
【００２４】
ここで、ろ層１２はろ材１６が処理槽２８内に充填されてなるものであり、支持層１８は細かい砂利等が処理槽２８内に充填されてなるものである。支持層１８は処理槽２８内でろ層１２を支える役割を果たす。また、支持層１８内には後述する散気部材Ａおよび散気部材Ｂならびに逆洗部材３２が設置されている。なお、散気部材Ａおよび散気部材Ｂならびに逆洗部材３２は、支持層１８の下方に設置されていてもよい。
【００２５】
そして、処理槽２８内へ、その上部から原水供給管３３を通じて原水１４を供給し、下降流にて、その内部に充填されたろ材１６からなるろ層１２を通過させることによってろ過し、下部から処理水１５として排出されるように構成されている。
【００２６】
水洗浄手段２０は、逆洗部材３２、逆洗用弁３４、洗浄水供給管３６および逆洗ポンプ３８を備える。逆洗部材３２は洗浄水供給管３６を介して逆洗ポンプ３８と繋がっていて、逆洗用弁３４を開け、逆洗ポンプ３８を駆動させることで、外部から洗浄水４０を洗浄水供給管３６を通じて、逆洗部材３２から処理槽２８内へ供給して、ろ材１６を洗浄できるように構成されている。
【００２７】
空気洗浄手段２２は、散気部材Ｂ、空洗用空気弁４２、空気供給管４４および空洗ブロワ４６を備える。散気部材Ｂは空気供給管４４を介して空洗ブロワ４６と繋がっており、空洗用空気弁４２を開け、空洗ブロワ４６を駆動することで、外部の空気を空気供給管４４を通じて、散気部材Ｂから処理槽２８内へ供給して、ろ材１６を洗浄できるように構成されている。
【００２８】
散気手段２６は、散気部材Ａ、散気用空気弁４８、空気供給管５０および散気ブロワ５２を備える。散気部材Ａは空気供給管５０を介して散気ブロワ５２と繋がっており、散気用空気弁４８を開け、散気ブロワ５２を駆動することで、外部の空気を空気供給管５０を通じて、散気部材Ａから処理槽２８内へ供給するように構成されている。このようにして空気がろ材１６へ供給されることで、溶解性の有機物やアンモニア性窒素・亜硝酸性窒素が酸化され分解される。
【００２９】
制御部２４は、散気ブロワ５２、空洗ブロワ４６および逆洗ポンプ３８の駆動または停止、ならびに各弁の開閉を制御することができるように構成されている。
【００３０】
制御部２４による制御フローについて、図２を用いて説明する。
制御部２４では、ろ過が開始されたときに、ろ過タイマーおよび簡易洗浄タイマーをリセットし、各タイマーのカウントを開始する（Ｓ６０）。ここでろ過タイマーおよび簡易洗浄タイマーの設定時間は任意に定めることができ、処理対象水（原水）の種類等によって適した時間を設定する。このとき、ろ過タイマー時間＞簡易洗浄タイマー時間である。
そして、ろ過が進行し（Ｓ６２）、簡易洗浄タイマーが設定時間に達したならば（Ｓ６４）、簡易洗浄工程を開始する（Ｓ６６）。その後、簡易洗浄が完了したならば、ろ過工程を再開する。ここで、再度、簡易洗浄タイマーをリセットし、カウントを初めから行う（Ｓ６８）。
次に、ろ過が行われている際に（Ｓ７０）、ろ過タイマーが設定時間に達するか、またはろ抗水位が上限値に到達するかを測り（Ｓ７２）、いずれかに該当する場合（ＹＥＳ）は、通常洗浄を実施し（Ｓ７４）、その後、ろ過開始に戻る（Ｓ６０）。これに対して、ろ過タイマーが設定時間に達するか、またはろ抗水位が上限値に到達するかを測り、いずれにも該当しない場合（ＮＯ）は、簡易洗浄タイマーが設定時間に達したかを確認する（Ｓ７６）。そして、達した場合（ＹＥＳ）、簡易洗浄工程を実施（Ｓ７８）した後、ろ過工程に戻る（Ｓ６８）。また、簡易洗浄タイマーが設定時間に達していない場合（ＮＯ）は、ろ過工程を継続する（Ｓ７０へ戻る）。
ここで、Ｓ７２とＳ７６との処理順番は逆であってもよく、Ｓ７２の確認とＳ７６の確認とを同時に行ってもよい。
本発明の装置は、このような制御部を有することが好ましい。
【００３１】
次に、本発明の方法を実施することができる別の水処理装置について、図を用いて説明する。
図３は本発明の方法を実施することができる水処理装置８０の概略図である。水処理装置８０は、本発明の装置の好適態様であり、脱窒ろ過法によって原水１４をろ過処理して処理水１５を排出する装置である。
【００３２】
図３に示す水処理装置８０が、図１に示した水処理装置１０と異なるところは、散気手段２６（散気部材Ａ、散気用空気弁４８、空気供給管５０および散気ブロワ５２）を有していない点と、有機源としてのメタノール（図３にはメタノールと記したが、代わりに例えばイソプロパノールを用いてもよい）を原水に添加できる態様を備えている点と、適用する生物ろ過法の種類が異なる（好気性ろ床法に対して脱窒ろ過法）ことに基づく点（例えばろ層内の微生物の種類等）とであり、それ以外については同じ態様である。制御部２４による制御フローについても、図２を用いて説明したものと同様であってよい。
図３では、図１に示した水処理装置と同じものについては、同じ符号を付している。
【００３３】
図３に示す水処理装置は、内的要因（すなわち、例えば自発的な脱窒）によって内部に気泡が発生するろ層１２に処理対象水（原水１４）を通過させてろ過するための水処理装置８０であって、汚濁物質を除去するろ材１６と、ろ材１６を支える支持層１８と、ろ層の洗浄を行う水洗浄手段２０および空気洗浄手段２２と、通常洗浄と通常洗浄の間に該洗浄に対し相対的に簡易な簡易洗浄を行うように制御する制御部２４とを備える。
【００３４】
次に、本発明の方法を実施することができる、さらに別の水処理装置について、図を用いて説明する。
図４は本発明の方法を実施することができる水処理装置９０の概略図である。水処理装置９０は、本発明の装置の好適態様であり、好気性ろ床法によって原水１４をろ過処理して処理水１５を排出する装置である。
【００３５】
図４に示す水処理装置９０が、図１に示した水処理装置１０と異なるところは、ろ過池が複数存在し（本図では３つ記載してある。複数であれば、２つでも良いし、３つ以上でも良い）、一方で、逆洗ポンプ３８および空洗ブロワ４６が各々１つずつ存在して、各ろ過池における水洗および空洗を各々１つの逆先ポンプおよび空洗ブロワで賄っている点であり、それ以外については同じ態様である。ただし、図４では、制御部の記載を省略している。図４に示す水処理装置９０では、図１に示した水処理装置１０が有するものと類似する制御部を有している。制御部による制御フローは、図２を用いて説明したものと異なる箇所があるので、次に説明する。
なお、図４では、図１に示した水処理装置と同じものについては、同じ符号を付している。
【００３６】
図４に示す水処理装置９０が有する制御部による制御フローについて、図５を用いて説明する。本例は、簡易洗浄手段が水洗浄手段のみを用いる場合を表している。
制御部では、ろ過が開始されたときに、ろ過タイマーおよび簡易洗浄タイマーをリセットし、各タイマーのカウントを開始する（Ｓ１００）。ここでろ過タイマーおよび簡易洗浄タイマーの設定時間は任意に定めることができ、処理対象水（原水）の種類等によって適した時間を設定する。
そして、ろ過が進行し（Ｓ１０２）、簡易洗浄タイマーが設定時間に達したならば（Ｓ１０４）、他池の洗浄で逆洗ポンプ３８を使用しているか否かを確認する（Ｓ１０６）。ここで使用していない場合（ＮＯ）は簡易洗浄工程を開始する（Ｓ１１２）が、使用している場合（ＹＥＳ）は、ろ過を継続し（Ｓ１０８）、他池での逆洗ポンプ３８の使用が終了しているかを確認し（Ｓ１１０）、終了していなければ（ＮＯ）、さらにろ過を継続する（Ｓ１０８）。そして、他池での逆洗ポンプ３８の使用が終了していれば（ＹＥＳ）、簡易洗浄工程を開始する（Ｓ１１２）。その後、簡易洗浄工程が完了したならば、ろ過工程を再開する。ここで、再度、簡易洗浄タイマーをリセットし、カウントを初めから行う（Ｓ１１４）。
次に、ろ過が行われている際に（Ｓ１１６）、ろ過タイマーが設定時間に達するか、またはろ抗水位が上限値に到達するかを測り（Ｓ１１８）、いずれかに該当する場合（ＹＥＳ）は、通常洗浄を実施し（Ｓ１２０）、その後、ろ過開始に戻る（Ｓ１００）。これに対して、ろ過タイマーが設定時間に達するか、またはろ抗水位が上限値に到達するかを測り、いずれにも該当しない場合（ＮＯ）は、簡易洗浄タイマーが設定時間に達したかを確認する（Ｓ１２２）。そして、達していなかった場合（ＮＯ）、ろ過工程を継続する（Ｓ１１６）。また、達した場合（ＹＥＳ）、他池の洗浄で逆洗ポンプ３８を使用しているか否かを確認する（Ｓ１２４）。ここで使用していない場合（ＮＯ）は簡易洗浄工程を開始する（Ｓ１３０）が、使用している場合（ＹＥＳ）は、ろ過を継続し（Ｓ１２６）、他池での逆洗ポンプ３８の使用が終了しているかを確認し（Ｓ１２８）、終了していなければ（ＮＯ）、さらにろ過を継続する（Ｓ１２６）。そして、他池での逆洗ポンプ３８の使用が終了していれば（ＹＥＳ）、簡易洗浄工程を開始する（Ｓ１３０）。その後、簡易洗浄が完了したならば、ろ過工程を再開する。ここで、再度、簡易洗浄タイマーをリセットし、カウントを初めから行う（Ｓ１１４）。
ここで、Ｓ１１８とＳ１２２との処理順番は逆であってもよく、Ｓ１１８の確認とＳ１２２の確認とを同時に行ってもよい。
本発明の装置は、このような制御部を有することが好ましい。
【００３７】
図４に示す水処理装置は、外的要因によって（すなわち、外部から気体が供給されて）内部に気泡が発生するろ層１２に処理対象水（原水１４）を通過させてろ過するための水処理装置９０であって、汚濁物質を除去するろ材１６と、ろ材１６を支える支持層１８と、水洗浄を行う水洗浄手段２０および空気洗浄を行う空気洗浄手段２２と、通常洗浄と通常洗浄の間に該洗浄に対し、相対的に簡易な簡易洗浄を行うように制御する制御部とを備える。そして、ろ過池を複数備え、前記制御部が複数のろ過池の内のいずれの一池も洗浄していない場合に、または、洗浄工程中でも、水洗浄手段を使用していないときに、その他の一池が簡易な洗浄を行うように制御することができる。
このような水処理装置９０では、他の池が洗浄工程中でも、逆洗ポンプを使用していない工程中に、簡易洗浄を行えるプログラムを持つ制御部を用いたため、簡易洗浄用の逆洗ポンプを別途設置することなく、簡易洗浄を実施できる。そして、簡易洗浄を行った結果、付帯設備はそのままに、ろ過継続時間の延長を達成することができる。
【００３８】
次に、本発明の方法を実施することができる、さらに別の水処理装置について、図を用いて説明する。
図６は本発明の方法を実施することができる水処理装置１３０の概略図である。水処理装置１３０は、本発明の装置の好適態様であり、脱窒ろ過法によって原水１４をろ過処理して処理水１５を排出する装置である。
【００３９】
図６に示す水処理装置１３０が、図４に示した水処理装置９０と異なるところは、散気手段２６（散気部材Ａ、散気用空気弁４８、空気供給管５０および散気ブロワ５２）を有していない点と、有機源としてのメタノール（図６にはメタノールと記したが、代わりに例えばイソプロパノールを用いてもよい）を原水に添加できる態様を備えている点と、適用する生物ろ過法の種類が異なる（好気性ろ床法に対して脱窒ろ過法）ことに基づく点（例えばろ層内の微生物の種類等）とであり、それ以外については同じ態様である。制御部による制御フローについても、図５を用いて説明したものと同様であってよい。ただし、図６では、制御部の記載を省略している。
図６では、図５に示した水処理装置と同じものについては、同じ符号を付している。
【００４０】
図６に示す水処理装置は、内的要因によって内部に気泡が発生するろ層１２に処理対象水（原水１４）を通過させてろ過するための水処理装置１３０であって、汚濁物質を除去するろ材１６と、ろ材１６を支える支持層１８と、水洗浄を行う水洗浄手段２０および空気洗浄手段２２と、通常洗浄と通常洗浄の間に該洗浄に対し、相対的に簡易な簡易洗浄を行うように制御する制御部２４とを備える。
【００４１】
本発明の方法では、例えば図１または図４に示した水処理装置１０または水処理装置９０を用いて処理対象水に好気性ろ床法を適用してろ過処理する際や、例えば図３または図６に示した水処理装置８０または水処理装置１３０を用いて処理対象水に脱窒ろ過法を適用してろ過処理する際に、水洗浄手段、空気洗浄手段を組み合わせて用いたり、洗浄の程度を調整することで、ろ層の洗浄と、次に該洗浄を行うまでの間に該洗浄に対して相対的に簡易な洗浄とを行う。
【００４２】
ろ層の洗浄と、次に該洗浄を行うまでの間に該洗浄に対して相対的に簡易な洗浄を行うと、表層を覆う懸濁物質および微生物が排除され、ろ層内部のガスがろ層上の液相側に逃げることが可能となる。その結果、ろ層内部で水の流れを妨げていたガスが無くなって、ろ層を通過する流体の流速が下がり、ろ過抵抗が下がって、ろ過継続時間の延長を図ることを可能とする。
簡易な洗浄を行うことで、設備の稼働率低下を防いだり、過大な予備設備の設置を抑えることが可能となる。ただし、該簡易な洗浄が有効なのは、ろ材に濁質捕捉能力が残っているにも関わらず、ろ層内部のガス溜まりによってろ抗が上昇してしまう場合であり、ろ材の濁質捕捉能力が飽和している場合は、該簡易な洗浄ではなく、ろ層の洗浄を行う必要がある。
【００４３】
ここで、前記ろ層の洗浄とは、所定のろ過時間経過後、または、ろ過池内水位がろ過可能限界水位に到達した場合に行われる洗浄で、例えば従来公知の逆洗洗浄が挙げられる（本明細書内では該洗浄をさして通常洗浄としている箇所もあるが、その意味は同様である。）。生物ろ過装置の場合、水洗浄、空気・水同時洗浄および空気洗浄から選ばれる少なくとも１つの洗浄を行うことが一般的で、通常は水洗浄、空気・水同時洗浄、空気洗浄の全てを実施する。
また、前記ろ層の洗浄に対して相対的に簡易な洗浄とは、前記洗浄よりも簡易な洗浄であれば、全てを意味している（本明細書内では該簡易な洗浄をさして簡易洗浄としている箇所もあるが、その意味は同様である。）。例えば、通常洗浄が水洗浄、空気・水同時洗浄および空気洗浄の３つの工程からなる場合に、簡易洗浄とは、水洗浄のみを行う場合等、工程数が少ない洗浄である場合が挙げられる。また、例えば、通常洗浄が水洗浄のみである場合に、簡易洗浄とは、相対的に処理時間が短かったり、使用する水量が少ない（線速度が低い）水洗浄を行う場合が挙げられる。また、例えば、通常洗浄が空気洗浄のみである場合に、簡易洗浄とは、相対的に処理時間が短かったり、使用する空気量が少ない（線速度が低い）空気洗浄を行う場合が挙げられる。例えば、通常洗浄が水洗浄、空気・水同時洗浄および空気洗浄の３つの工程からなる場合に、簡易洗浄とは、使用する水量が少ない水洗浄のみを行う場合が挙げられる。
【００４４】
このように、通常洗浄よりも簡易な洗浄であれば、全てが簡易洗浄となる。ろ過装置が通常行っている洗浄が通常洗浄であり、それは所定のろ過時間経過後、または、ろ過池内水位がろ過可能限界水位に到達した場合に行われる。そして、簡易洗浄は通常洗浄よりも簡易な洗浄であればよい。すなわち、通常洗浄と簡易洗浄とは、絶対的な定義を持つものではなく、通常洗浄に比べて簡易であれば簡易洗浄となる。各ろ過装置によって通常洗浄の内容は異なるため、各ろ過装置毎に簡易洗浄の内容は異なり、各ろ過装置毎に簡易洗浄が何かが判断されることとなる。例えば、ろ過装置Ａとろ過装置Ｂがあったとして、ろ過装置Ａの通常洗浄が全ての工程において、ろ過装置Ｂの通常洗浄の２倍の洗浄時間で実施されていたとする。その場合、仮にろ過装置Ａの簡易洗浄が、ろ過装置Ｂの通常洗浄と全く同様の洗浄内容だったとしても、ろ過装置Ａの通常洗浄よりは簡易な内容の洗浄であるため、ろ過装置Ａで実施される簡易洗浄は簡易洗浄となる。
【００４５】
簡易洗浄における重要な点は、実施後に処理水質の悪化を招かないことである。特に懸念される水質項目はＳＳである。簡易洗浄は、通常洗浄と異なって十分に洗浄を実施しないため、場合によっては、ろ過開始直後に簡易洗浄によって、ろ材から剥離したＳＳが処理水側に漏出する恐れがある。そのため、ろ過開始直後でも、処理水側にＳＳが流出しないか最小限に抑えられる簡易洗浄を選定することが好ましい。
【００４６】
簡易洗浄は、通常洗浄よりも簡易であれば、全てが本発明における簡易洗浄であるが、本発明の方法によって、処理対象水を下向流にてろ過する装置を洗浄する場合、水洗浄のみであることが好ましい。簡易洗浄が水洗浄のみであると、簡易洗浄によって剥離した濁質は、洗浄水の水流によって、ろ層上部に押し出され、洗浄水の流れが下から上になるため、処理水側への濁質の流出を防ぐことができるからである。一方で、空気を使用する空気洗浄のみの場合、ろ材から剥離した濁質は、ろ層上部へも、処理水側へも移動してしまうので、処理開始後に処理水の水質を悪化させる可能性がある。また、空気・水同時洗浄の場合は、水洗浄のみの場合に比べて、空気を併用しているために洗浄効果が高く、ろ材からの濁質剥離を促進する。水流があるために、処理水側への流出は抑制されるが、水洗浄単独よりも洗浄効果が高いため、水洗浄単独に比べると処理水の水質が悪化する可能性がある。また、簡易洗浄は、ろ層全体を良く洗うことを目的としておらず、ろ層表層の蓋を破壊し、ろ層内部のガス抜きを行うことが目的であるため、より簡易であることが好ましい。このことから、空気と水の二つを用いる空気・水同時洗浄よりも、水洗浄単独のみの方が、より好ましいことになる。
【００４７】
さらには、簡易洗浄で用いた洗浄水は、ろ過装置から排出しないことが、より好ましい。洗浄排水が増加することは、それに関連する設備、例えば、洗浄排水槽や洗浄排水ポンプの設備容量を増強する必要を生じさせる。洗浄排水を排出せずに、再度ろ過すれば、洗浄排水に関連する設備の増強は不要となるため、より好ましくなるのである。通常洗浄時に、洗浄排水を再度ろ過することは一般的なことではなく簡易洗浄ならではの手法である。これは、次の理由による。簡易洗浄を行う場合と言うのは、ろ材には濁質捕捉能力が十分あるにも関わらず、ろ材内部のガスのためにろ抗が上昇した場合であって、ろ過機能はまだ十分に保有している状態である。そのため、洗浄排水を再度ろ過しても、直後のろ抗上昇や処理水質の悪化を招くことは無いか、少ないのである。
【００４８】
一方で、洗浄排水槽や洗浄排水ポンプの設備容量に余裕があり、かつ、より高度な処理水質を得る必要がある場合は、洗浄排水を排出してもよく、さらには、目標とする処理水質を根拠にして水洗時間を調整しても良い。洗浄排水を排出するのは次の理由による。洗浄排水を排出しない場合、簡易洗浄直後のろ過原水は洗浄排水に由来した高濃度の濁質を含むが、濁質成分の性状によっては処理水の濁質濃度がろ過原水の濁質濃度に追随する場合があるためである。このような場合に洗浄排水を排出してからろ過を開始することで、原水の濁質濃度による影響を低減してより高度な処理水を得ることができる。また、水洗時間を調整する理由は、ろ材から剥離してろ層内に留まる濁質も排出することで、さらに高度な処理水質を得るためである。水洗時間は、ろ層内から効率よく濁質を排出できる時間を任意に設定すれば良く、制限はないが、洗浄効率と洗浄排水量の兼ね合いから、通水する洗浄水高さが、好ましくはろ層高さの０．０１〜３倍、より好ましくは０．０５〜２倍、さらに好ましくは、０．１〜１倍である。そして、洗浄排水の排出部の位置関係も考慮して洗浄時間を決定すると良い。ここで、洗浄水高さは洗浄ＬＶに洗浄時間を乗じることで求められる。
【００４９】
簡易洗浄は、上記のように水洗浄を含むことが好ましく、水洗浄のみであることがより好ましい。
また、簡易洗浄として水洗浄を行うときの洗浄水の線速度は０〜２．０ｍ／分であることが好ましく、０．１〜１．５ｍ／分であることがより好ましく、０．３〜１．０ｍ／分であることがさらに好ましい。ここで洗浄水の線速度０ｍ／分とは、洗浄水をろ床下部から通水することなく、例えば、原水の流入を停止したり、ろ床上の水層を系外に排出することによって、水層の水位、すなわち、ろ床にかかる水圧を一時的に下げた状態を意味する。このような状態にするだけでもろ床に溜まったガスの一部が放出され、そのガスの動きによってろ床表面の目詰まりが軽減できる場合があるためである。このような状態も本発明の範囲に含まれるが、低速（例えば０．１ｍ／分程度）であってもろ床の下から上に向けて洗浄水を通水することがより効果的であるのは言うまでもない。
また、簡易洗浄として水洗浄を行うときの処理時間は５秒〜１５分であることが好ましく、１０秒〜５分であることがより好ましく、１５秒〜６０秒であることがさらに好ましい。
また、簡易洗浄を実施する回数は、通常洗浄と通常洗浄との間に、１０回以内とすることが好ましく、５回以内とすることがより好ましく、２回以内とすることがさらに好ましい。
さらに、簡易洗浄は、線速度が０．１〜１．５ｍ／分で、かつ、洗浄時間が５秒〜５分である水洗浄であることが好ましい。
これは、水流によって生じるろ層の膨張と、水流自体の物理的作用によって、ろ層表面付近に発生した蓋を破壊するのに効果的な範囲の組み合わせを検討し見出した範囲である。
【００５０】
簡易洗浄は定期的に行っても良いが、通水抵抗やＳＳ捕捉量を根拠にして実施しても良い。通水抵抗やＳＳ捕捉量の値に制限は無いが、通水抵抗で設定する場合は、水位をもとにするのが良く、通水開始時の水位に対して、好ましくは２０〜２０００ｍｍ、より好ましくは５０〜１０００ｍｍ、さらに好ましくは１００〜５００ｍｍ上昇した時点で実施するのが効果的である。ＳＳ捕捉量で設定する場合は、充填槽容量あたりの捕捉量が、好ましくは０．０１〜１０ｋｇ／ｍ3、より好ましくは０．０５〜５ｋｇ／ｍ3、さらに好ましくは０．１〜２ｋｇ／ｍ3となった時点で実施するのが効果的である。ＳＳ捕捉量は、ＳＳの由来となる要素の指標から推定すれば良い。ＳＳの由来の要素とは、例えば、流入ＳＳ濃度、流入ＮＯx−Ｎ濃度、流入有機物濃度、流出ＳＳ濃度、流出ＮＯx−Ｎ濃度、流出有機物濃度、メタノール（イソプロパノール）注入量、水量等であり、これらの値のいずれかもしくは二つ以上を組み合わせてＳＳ捕捉量を推定すればよい。メタノールを注入して脱窒する場合のＳＳ捕捉量の推定はたとえば式（１）や式（２）を用いて行う。
【００５１】
ＳＳ捕捉量＝水量×流入ＳＳ濃度＋メタノール注入量×メタノール汚泥転換率    (1)
ここで、メタノール汚泥転換率とは、単位重量あたりのメタノールが生物分解されたときに発生する汚泥量
【００５２】
ＳＳ捕捉量＝水量×流入ＳＳ濃度＋水量×流入ＮＯx−Ｎ濃度×メタノール注入率×メタノール汚泥転換率    (2)
ここでメタノール注入率とは、ＮＯx−Ｎ負荷量（水量×流入ＮＯx−Ｎ濃度）に対するメタノール注入量
【００５３】
ここで、流入ＳＳ濃度や流入ＮＯx−Ｎ濃度の代わりに、（流入ＳＳ濃度―流出ＳＳ濃度）や、（流入ＮＯx−Ｎ濃度―流出ＮＯx−Ｎ濃度）を用いても良い。
通水抵抗を指標にする場合は、水位計等の計測機器を用いて自動制御しても良い。また、単なる水位ではなく、水位の変化、すなわち、水位上昇速度を検知して制御してもよい。水位の変化を読み取る場合には、まず、ガス溜りを排除しながらろ過を継続した場合の水位の上昇速度を求める。このガス溜りの影響が少ない時の水位上昇速度（通常の上昇速度とする）は、主にＳＳ捕捉量の増加によるものである。これよりも上昇速度が早くなった場合に異常値として検知し簡易洗浄をかける。簡易洗浄をかける上昇速度の値に制限はないが、通常の上昇速度に対して、好ましくは１．１倍以上、より好ましくは１．５倍以上、さらに好ましくは、２倍以上の上昇速度を検知した場合である。
ＳＳ捕捉量を指標にする場合は、ＳＳ濃度計、ＮＯx−Ｎ濃度計、有機物濃度計、メタノール（イソプロパノール）注入量計、水量計等の指示値が利用でき、これらの値のいずれかもしくは二つ以上を組み合わせてＳＳ捕捉量を推定し、その値が一定値に達したところで簡易洗浄がかかるように自動制御すればよい。ＳＳ捕捉量の指標値は、前述のとおりである。
【００５４】
本発明において用いられるろ材は例えば従来公知のものを用いることができる。具体的には、砂、木炭、活性炭やアンスラサイト、珪砂、ガーネット、樹脂成型物、スポンジなどを用いることができる。
ろ材の仕様にも限定はないが、例えば、ろ材の有効径や均等係数で示すと、本発明の効果が顕著に現れるのは、有効径：０．４〜５ｍｍ、均等係数：１．０〜２．０のろ材である。
ここで有効径とは、ふるいわけ試験において、粒径累積曲線での１０％通過径をｍｍ単位で表したものであり、ＪＩＳ  Ｋ  １４７４（２００７年）に規定される方法で測定される値を意味するものとする。
また、均等係数とは、ふるいわけ試験において、粒径累積曲線での６０％通過径（ｄ60）と１０％通過径（ｄ10）との比（ｄ60／ｄ10）であり、ＪＩＳ  Ｋ  １４７４（２００７年）に規定される方法で測定される値を意味するものとする。
なお、均等係数の下限は１．０である。
【００５５】
本発明の方法は、好気性ろ床法および脱窒ろ過法に適用することが可能であるが、脱窒ろ過法ではさらに有効である。
脱窒ろ過法では、脱窒反応を促進するために、メタノール等の有機物を添加することがある。脱窒反応を行う微生物は、従属栄養細菌に分類される微生物で、これら微生物の増殖速度は速い。そのため、ろ層内部で脱窒反応を担う微生物は顕著に増殖し、ろ層に蓋を掛ける効果を促進する。また、好気性ろ床では、ガスは、ろ層下部からブロワによって勢い良く散気されるが、脱窒ろ過では、脱窒反応の結果として、ろ層内部の各所で発生するので、好気性ろ床に比べるとガスの上昇速度が弱く、かつ散気によるガスや水の流動が期待できない。そのため、ガスがろ層内部に留まり易い傾向がある。これらの理由により、脱窒ろ過法では、本発明の方法の効果が最も現れ易い方法である。
【００５６】
本発明の方法は、排水処理分野の生物ろ過装置に用いるのが好適だが、それに限られることは無く、上水分野で用いられる生物活性炭ろ過池に適用することも可能である。
【００５７】
本発明における処理対象水は、従来公知の生物ろ過法を適用する水であってよい。例えば、懸濁物質と、溶解性の有機物やアンモニア性窒素・亜硝酸性窒素とを含む排水が挙げられ、このような処理対象水には好気性ろ床法を適用する。また、例えば、懸濁物質と、亜硝酸性窒素・硝酸性窒素とを含む排水が挙げられ、このような処理対象水には脱窒ろ過法を適用する。
【００５８】
また、処理対象水として、具体的には下水が挙げられる。また、下水に従来公知の浄化処理、例えば沈降分離、活性汚泥処理、生物膜処理、凝集分離、浮上分離、ろ過、膜分離などを適用して得られる浄化処理後の下水も、処理対象水に該当する。これら以外にも、処理対象水として、し尿、ごみ浸出水、硝酸性窒素を含んだ雨水・地下水、各種産業廃水などが挙げられ、これらを従来公知の浄化処理、例えば沈降分離、活性汚泥処理、生物膜処理、凝集分離、浮上分離、ろ過、膜分離などを適用して得られる浄化処理後の水も、処理対象水に該当する。
【実施例】
【００５９】
本発明について実施例を用いて説明する。本発明は以下の実施例に限定されない。
【００６０】
＜実験１：好気性ろ床＞
図４に示した水処理装置９０を用いて原水を処理した。
ここで、ろ材は、有効径が２ｍｍ、均等係数が１．２のアンスラサイトであり、これをろ層厚が２．０ｍとなるように処理槽内へ充填して、ろ層を形成した。
このような水処理装置９０を用いて、原水（下水二次処理水（原水ＳＳ：１０ｍｇ／Ｌ））を処理した。
【００６１】
＜比較例１＞
水処理装置９０を用いて原水の通水時線速度（ＬＶ）を１２０ｍ／ｄとしたろ過処理を行った。ここで、通気ブロワを用いた散気の散気量（ＬＶ）を０．１ｍ／分とし、ろ過中もろ層内を散気した。そして、第１表のタイムテーブルに示すような通常洗浄（空洗、空水洗および水洗を連続して行う洗浄処理）を行った。
【００６２】
【表１】
2015188880.tif 000003
【００６３】
その結果、ろ過継続時間は２４時間だった。すなわち、２４時間毎にろ抗が上昇してろ過可能限界水位に達し、通常洗浄を行わざるを得なくなった。
【００６４】
＜実施例１＞
水処理装置９０を用いて、比較例１の場合と同じ原水の通水時線速度（ＬＶ）および散気量（ＬＶ）としたろ過処理を行った。また、比較例１と同様にろ過中もろ層内を散気した。そして、比較例１と同様に、第１表のタイムテーブルに示すような通常洗浄（空洗、空水洗および水洗を連続して行う洗浄処理）を行った。
そして、このような通常洗浄に加えて簡易洗浄も行った。簡易洗浄は水洗浄のみであり、６時間間隔で、１回あたり１分、線速度が１．０ｍ／分の水洗浄を行った。
【００６５】
その結果、ろ過継続時間は４８時間に延びた。また、簡易洗浄後の処理水質の悪化は見られなかった。洗浄排水を排出しなかったため、洗浄排水槽および洗浄排水ポンプの容量は、通常洗浄のみを行う場合と同一で問題なかった。また、図５を用いて説明したような、他の池が洗浄工程中でも逆洗ポンプを使用していない工程中に簡易洗浄を行えるプログラムを持つ制御部を用いたため、簡易洗浄用の逆洗ポンプを別途設置することなく、簡易洗浄を実施できた。簡易洗浄を行った結果、付帯設備はそのままに、ろ過継続時間の延長を達成することができた。
【００６６】
＜実験２：脱窒ろ床＞
図６に示した水処理装置１３０を用いて原水を処理した。
ここで、ろ材は、有効径が３ｍｍ、均等係数が１．２のアンスラサイトであり、これをろ層厚が２．０ｍとなるように処理槽内へ充填して、ろ層を形成した。
このような水処理装置１３０を用いて、原水（下水二次処理水（原水ＳＳ：１０ｍｇ／Ｌ））を処理した。
【００６７】
＜比較例２＞
水処理装置１３０を用いて原水の通水時線速度（ＬＶ）を１２０ｍ／ｄとしたろ過処理を行った。また、原水にメタノールを添加した。そして、第１表のタイムテーブルに示すような通常洗浄（空洗、空水洗および水洗を連続して行う洗浄処理）を行った。
【００６８】
その結果、ろ過継続時間は１２時間だった。すなわち、１２時間毎にろ抗が上昇してろ過可能限界水位に達し、通常洗浄を行わざるを得なくなった。
【００６９】
＜実施例２＞
水処理装置１３０を用いて、比較例２の場合と同じ原水の通水時線速度（ＬＶ）としたろ過処理を行った。そして、比較例２と同様に、第１表のタイムテーブルに示すような通常洗浄（空洗、空水洗および水洗を連続して行う洗浄処理）を行った。
そして、このような通常洗浄に加えて簡易洗浄も行った。簡易洗浄は水洗浄のみであり、６時間間隔で、１回あたり１分、線速度が１．０ｍ／分の水洗浄を行った。
【００７０】
その結果、ろ過継続時間は２４時間に延びた。また、簡易洗浄後の処理水質の悪化は見られなかった。洗浄排水を排出しなかったため、洗浄排水槽および洗浄排水ポンプの容量は、通常洗浄のみを行う場合と同一で問題なかった。また、図５を用いて説明したような、他の池が洗浄工程中でも、逆洗ポンプを使用していない工程中に、簡易洗浄を行えるプログラムを持つ制御部を用いたため、簡易洗浄用の逆洗ポンプを別途設置することなく、簡易洗浄を実施できた。簡易洗浄を行った結果、付帯設備はそのままに、ろ過継続時間の延長を達成することができた。簡易洗浄用に別途ポンプを設けても良いが、設備が増加するため設置しないほうが望ましい。
【符号の説明】
【００７１】
１０：水処理装置、１２：ろ層、１４：原水、１５：処理水、１６：ろ材、１８：支持層、２０：水洗浄手段、２２：空気洗浄手段、２４：制御部、２６：散気手段、２８：処理槽、Ａ：散気部材Ａ、Ｂ：散気部材Ｂ、３２：逆洗部材、３３：原水供給管、３４：逆洗用弁、３６：洗浄水供給管、３８：逆洗ポンプ、４０：洗浄水、４２：空洗用空気弁、４４：空気供給管、４６：空洗ブロワ、４８：散気用空気弁、５０：空気供給管、５２：散気ブロワ、８０：水処理装置、９０：水処理装置、１３０：水処理装置
【図１】
2015188880.tif 000004
【図２】
2015188880.tif 000005
【図３】
2015188880.tif 000006
【図４】
2015188880.tif 000007
【図５】
2015188880.tif 000008
【図６】
2015188880.tif 000009